(57)【要約】【課題】就寝者が快適に目覚めたと感じる照明装置を提供する。【解決手段】第１寝室部２０Ａのベッド３０Ａは、就寝者の頭側が壁部１２Ａ側とされて、足側が壁部１２Ｃ側とされている。また、壁部１２Ａと壁部１２Ｃとの間の下がり天井３６には、照明器具４２Ａ〜４２Ｄが配置されて間接照明が形成されており、照明器具４２Ａ〜４２Ｄは、照明器具４２Ａが壁部１２Ｃ側とされて、照明器具４２Ｄが壁部１２Ａ側とされている。就寝者が目覚める際には、照明器具４２Ａから順に点灯されて出力が徐々に高くされると共に、目覚まし時刻に定格出力に達するように制御され、色温度が２７００ｋから徐々に高くされて、目覚まし時刻に５０００ｋとなるように制御される。就寝者が目覚める際には、第１寝室部２０Ａは、就寝者の足側から徐々に明るくされると共に、光の色が日の出前後の色から徐々に日中の色に変化される。【選択図】図１
2018006086.tif 000002
【特許請求の範囲】
【請求項１】
各々の照明光の明るさ及び色温度が変更可能な複数の照明光源が寝室の一壁面に沿う一方向に配列され、前記照明光源の各々により前記寝室の天井面が照明される間接照明手段と、
前記天井面の明るさ及び前記天井面に照射される光の色温度の少なくとも一方が、前記一方向の一側から他側へ向けて徐々に高くなるように前記照明光源の各々の点灯、照明光の明るさ及び照明光の色温度を制御する制御手段と、
を備えた照明装置。
【請求項２】
前記制御手段は、前記複数の照明光源を前記一方向の一側の照明光源から順に点灯させる請求項１に記載の照明装置。
【請求項３】
前記制御手段は、前記複数の照明光源のうちの前記一方向の一側の照明光源から照明光の明るさが徐々に高くなるように制御する請求項１又は請求項２に記載の照明装置。
【請求項４】
前記制御手段は、前記天井面に照射される照明光の色温度が第１色温度から徐々に高くされて、前記第１色温度より高い第２色温度となるように前記複数の照明光源の各々を制御する請求項１から請求項３の何れか１項に記載の照明装置。
【請求項５】
就寝者の睡眠状態を検出する睡眠状態検出手段と、
起床時刻が設定される時刻設定手段と、
を含み、前記制御手段は、前記起床時刻及び前記睡眠状態検出手段により検出される就寝者の睡眠状態に応じて、前記複数の照明光源の各々の点灯を開始させることを含む請求項１から請求項４の何れか１項に記載の照明装置。
【請求項６】
前記制御手段は、前記起床時刻より早い第１の時間の時点において、前記睡眠状態検出手段により検出される睡眠状態が深い場合には、前記起床時刻より早い第１の時間に達した後に、前記一方向の一側の照明光源の点灯を開始させる請求項５記載の照明装置。
【請求項７】
前記制御手段は、前記起床時刻より早い第１の時間の時点において、前記睡眠状態検出手段により検出される睡眠状態が浅い場合には、前記第１の時間より遅く前記起床時刻より早い第２の時間に達した後に、前記一方向の一側の照明光源の点灯を開始する請求項５に記載の照明装置。
【請求項８】
前記制御手段は、前記一側の照明光源の点灯を開始してから、前記他側の照明光源が所定の明るさ及び所定の色温度に達する前に前記睡眠状態検出手段が就寝者の覚醒を検出した場合に、前記複数の照明光源の各々が所定の明るさ及び所定の色温度となるように制御する請求項５から請求項７の何れか１項に記載の照明装置。
【発明の詳細な説明】
【技術分野】
【０００１】
本発明は、照明装置に係り、詳細には、寝室に設けられる照明装置に関する。
【背景技術】
【０００２】
睡眠には、寝室内の照明の明るさ及び色温度が影響し、起床時における周囲の明るさは、就寝者の睡眠及び目覚めに影響することが知られている。就寝者は、朝日からの自然光を受けて目覚めることで、目覚めが快適と感じられることがあり、就寝者が快適な睡眠が得られたと感じるためには、快適な目覚め感が得られる必要がある。
【０００３】
ここで、特許文献１には、就寝者の起床時に睡眠室に設けた天井照明器具を含む照明器具の明るさ及び色温度を制御する記載がある。特許文献１では、起床前モードにおいて照明器具の点灯を制御する際、天井照明器具の出力を照度が２０lx（ルクス）以下から５００lx以上となるまで徐々に高く（明るく）すると共に、照明光の色温度が３０００ｋ（ケルビン）以下から５０００k以上とするように天井照明器具を制御している。
【先行技術文献】
【特許文献】
【０００４】
【特許文献１】特開２０１５−２８３２号公報
【発明の概要】
【発明が解決しようとする課題】
【０００５】
ところで、朝日が昇るときの自然光による空の明るさ及び色は、必ずしも一様となっていない。特許文献１では、天井照明器具の出力を徐々に大きくすると共に、色温度を徐々に高くするように制御しており、明るさ及び色温度が一様に変化されている。このような明るさ及び色温度の変化では、就寝者に必ずしも快適な目覚め感が生じるとは限らない。
【０００６】
本発明は上記事実に鑑みてなされたものであり、就寝者が快適に目覚めたと感じることができる照明装置を提供することを目的とする。
【課題を解決するための手段】
【０００７】
上記目的を達成するための第１の態様は、各々の照明光の明るさ及び色温度が変更可能な複数の照明光源が寝室の一壁面に沿う一方向に配列され、前記照明光源の各々により前記寝室の天井面が照明される間接照明手段と、前記天井面の明るさ及び前記天井面に照射される光の色温度の少なくとも一方が、前記一方向の一側から他側へ向けて徐々に高くなるように前記照明光源の各々の点灯、照明光の明るさ及び照明光の色温度を制御する制御手段と、を備えている。
【０００８】
第１の態様では、寝室の一壁面に沿う水平な一方向の一側から他側に向けて複数の照明光源が配列されており、複数の照明光源の各々により天井面が照明される間接照明が形成されている。複数の照明光源は、照明光の明るさ（照明光源の出力）が変更可能とされていると共に、照明光の色温度が変更可能とされている。制御手段は、複数の照明光源の各々の点灯、明るさ（出力）及び色温度を制御する。
【０００９】
ここで、一方向としては、寝室内の任意の方向を適用できるが、居住者（就寝者）が寝室に就寝する際の体長方向に沿うことが好ましく、また、一方向の一側は、就寝者の足側であることが好ましい。
【００１０】
日の出の前後においては、太陽（朝日）の方向から明るくなると共に、太陽側から離れるにしたがって色温度が低くなっている。制御手段は、寝室の一方向の一側から他側へ向けて天井面が徐々に明るくなるように複数の照明器具の点灯及び明るさを制御する。また、制御手段は、複数の照明器具の各々の色温度が徐々に高くなるように制御する。
【００１１】
このため、寝室の天井面は、一方向の一側から他側へ向けて徐々に明るくされると共に、天井を照明する色（色温度）が徐々に高くされる。また、寝室は、天井面で反射された光により照明され、一方向の一側から徐々に明るくなると共に光の色が高くなる。これにより、就寝者の起床に合わせて複数の照明光源が制御されることで、就寝者は、目覚める前に日の出時の朝日による自然光と同様の明るさ及び光の色の変化を受けていると感じる。また、一側が就寝者の足側とされることで、就寝者は、足側から自然光を受けているように感じる。従って、就寝者は、自然光と同様の光を受けて目覚めることができるので、目覚めたときに快適と感じる。また、就寝者は、目覚めたときに快適と感じるので、快適に睡眠できたと感じることができる。
【００１２】
第２の態様は、第１の態様において、前記制御手段は、前記複数の照明光源を前記一方向の一側の照明光源から順に点灯させる。
【００１３】
第２の態様では、一方向の一側の照明光源から順に点灯される。これにより、天井面が一方向の一側から他側に向けて順に照明されるので、就寝者は、天井面の明るさが一方向の一側から他側へ向けて徐々に明るくなっていると感じる。
【００１４】
第３の態様は、第１又は第２の態様において、前記制御手段は、前記複数の照明光源のうちの前記一方向の一側の照明光源から照明光の明るさが徐々に高くなるように制御する。
【００１５】
第３の態様では、制御手段が、一方向の一側の照明光源から出力が徐々に高くなるように制御する。これにより、天井面の一側から徐々に明るくされるので、就寝者は、天井面の明るさが一方向の一側から他側へ向けて徐々に明るくなっていると感じる。
【００１６】
第４の態様は、第１の態様から第３の態様の何れかにおいて、前記制御手段は、前記天井面に照射される照明光の色温度が第１色温度から徐々に高くして、前記第１色温度より高い第２色温度となるように前記複数の照明光源の各々を制御する。
【００１７】
第４の態様では、複数の照明光源の各々の色温度を第１色温度から第２色温度となるように徐々に高くする。第１色温度としては、日の出前後の朝日の色温度（例えば、２７００ｋ（ケルビン）程度）を適用することが好ましく、また、第２色温度としては、日中の太陽の色温度（例えば、５０００ｋ程度）を適用することが好ましい。これにより、朝日が昇るときの自然光と同様の明るさ及び色温度の変化が得られるので、就寝者は、快適に目覚めることができる。
【００１８】
なお、照明光源の色温度が高い場合は、低い場合に比べて天井面が明るくなるので、色温度によって天井面の明るさを変化することが可能となる。ここから、第１の態様においては、第２の態様から第４の態様に限らず、制御手段が、複数の照明光源のうちの一側の照明光源から色温度が徐々に高くなるように制御する態様を含むことができる。第１の態様がこの態様を含むことで、天井面を一側から他側へ向けて徐々に明るくできると共に、色温度が一側から他側へ向けて徐々に明るくできるので、日の出時の自然光と同様の明るさ及び色温度の変化が得られ、就寝者が快適に目覚めたと感じることができる。
【００１９】
第５の態様は、第１の態様から第４の態様の何れかにおいて、就寝者の睡眠状態を検出する睡眠状態検出手段と、起床時刻が設定される時刻設定手段と、を含み、前記制御手段は、前記起床時刻及び前記睡眠状態検出手段により検出される就寝者の睡眠状態に応じて、前記複数の照明光源の各々の点灯を開始させることを含む。
【００２０】
第５の態様では、就寝者の起床時刻が設定手段により設定される。また、睡眠状態検出手段は、寝室で就寝する就寝者の睡眠状態を検出する。睡眠状態検出手段としては、少なくとも就寝者が睡眠中か又は覚醒しているかを検出できればよく、また、睡眠状態検出手段は、就寝者が睡眠中である場合に、睡眠が深いか又は浅いかを検出し得るものであればより好ましい。
【００２１】
制御手段は、起床時刻及び睡眠状態検出手段により検出される就寝者の睡眠状態に応じて照明光源の点灯、明るさ（出力）及び色温度を制御する。これにより、就寝者が起床時刻に覚醒する（目覚める）ように寝室の明るさ及び光の色温度を制御できるので、就寝者は、起床時刻に快適に目覚めたと感じることができる。
【００２２】
第６の態様は、第５の態様において、前記制御手段は、前記起床時刻より早い第１の時間の時点において、前記睡眠状態検出手段により検出される睡眠状態が深い場合には、前記起床時刻より早い第１の時間に達した後に、前記一方向の一側の照明光源の点灯を開始させる。
【００２３】
また、第７の態様は、第５の態様において、前記制御手段は、前記起床時刻より早い第１の時間の時点において、前記睡眠状態検出手段により検出される睡眠状態が浅い場合には、前記第１の時間より遅く前記起床時刻より早い第２の時間に達した後に、前記一方向の一側の照明光源の点灯を開始する。
【００２４】
第６の態様では、起床時刻より早い第１の時間の時点において、就寝者の睡眠が深い場合、起床時刻よりも早い第１の時間に達した後に一側の照明光源の点灯を開始する。また、第７の態様では、起床時刻より早い第１の時間の時点において、就寝者の睡眠が浅い場合、起床時刻よりも早く第１の時間よりも遅い第２の時間に達した後に一側の照明器具の点灯を開始する。
【００２５】
就寝者の睡眠は、睡眠が深い状態と浅い状態が繰り返され、浅い睡眠から自然に目覚めることで就寝者が快適に目覚めることができたと感じる。ここから、第１の時間としては、深い睡眠の就寝者が快適に目覚めることができるように設定された時間が適用される。また、第２の時間としては、浅い睡眠の就寝者が快適に目覚めることができるように設定された時間が適用される。
【００２６】
これにより、第６の態様では、就寝者が睡眠の深い状態から快適に目覚めるようにできる。また、第７の態様では、就寝者が起床時刻より前に目覚めるのを抑制して、浅い睡眠状態から快適に目覚めるようにできる。
【００２７】
第８の態様は、第５の態様から第７の態様の何れかにおいて、前記制御手段は、前記一側の照明光源の点灯を開始してから、前記他側の照明光源が所定の明るさ及び所定の色温度に達する前に前記睡眠状態検出手段が就寝者の覚醒を検出した場合に、前記複数の照明光源の各々が所定の明るさ及び所定の色温度となるように制御する。
【００２８】
第８の態様では、就寝者が目覚めたことが検出された場合、複数の照明光源の各々を所定の明るさ及び所定の色温度となるようにする。所定の明るさ及び色温度としては、目覚めた就寝者に不快感を生じない程度に刺激を与えうる明るさ及び色温度を適用する。また、所定の明るさとしては、照明光源が定格出力された明るさであっても良く、また、就寝者に刺激を与えることができる明るさであれば、照明光源の定格出力よりも低い出力で得られる明るさであっても良い。また、所定の色温度としては、日中の太陽の色温度（例えば、５０００ｋ程度）又はこの色温度に相当する色温度を適用できる。
【００２９】
これにより、目覚めた就寝者に光の刺激を与えることができるので、就寝者がうつらうつら（うとうと）することなく確実に目覚めさせて、睡眠不足感が生じてしまうのを抑制する。すなわち、就寝者がうとうとしている状態では、目覚めたときに睡眠不足感が生じてしまうが、目覚めた就寝者に光の刺激を与えることで、睡眠不足感が生じることなく目覚めるようにできる。
【発明の効果】
【００３０】
以上説明したように第１の態様によれば、就寝者が快適に目覚めたと感じることができる、という効果が得られる。
【００３１】
第２の態様によれば、一側の照明光源から点灯させるので、天井の一側から明るくなるように照明することができる、という効果が得られる。また、第３の態様によれば、一側の照明光源から明るさが徐々に明るくなるので、天井の一側から明るくなるように照明することができる、という効果が得られる。
【００３２】
第４の態様によれば、朝日が昇るときと自然光と同様の明るさ及び光の色の変化が得られるので、就寝者が快適に目覚めたと感じることができる、という効果が得られる。
【００３３】
第５の態様によれば、就寝者が起床時刻に快適と感じるように目覚めることができる、という効果が得られる。
【００３４】
第６の態様によれば、睡眠が深い場合でも、就寝者が起床時刻に快適に目覚めるようにできる、という効果が得られる。また、第７の態様によれば、睡眠が浅い場合に、起床時刻より前に目覚めるのを抑制して、就寝者が起床時刻に快適に目覚めるようにできる、という効果が得られる。
【００３５】
第８の態様によれば、就寝者に睡眠不足感を感じさせることがなく、快適に目覚めたと感じさせることができる、という効果が得られる。
【図面の簡単な説明】
【００３６】
【図１】本実施の形態に係る寝室の平面図である。
【図２】寝室の側面視における概略断面図である。
【図３】本実施の形態に係る照明装置の概略構成図である。
【図４】（Ａ）は起床支援照明制御における照明器具の出力変化を示す線図、（Ｂ）は起床支援照明制御における照明器具の色温度の変化を示す線図である。
【図５】起床時における照明装置の処理を示す流れ図である。
【図６】（Ａ）及び（Ｂ）の各々は、照明器具の出力変化の他の一例を示す線図である。
【発明を実施するための形態】
【００３７】
以下、図面を参照しながら本発明の実施の形態を説明する。図１には、本実施の形態に係る居室としての寝室１０が平面図にて示されており、図２には、寝室１０が側面視の断面図にて示されている。
【００３８】
図１に示されるように、寝室１０は、周囲が壁部１２Ａ、１２Ｂ、１２Ｃ、１２Ｄにより囲われている。また、図２に示されるように、寝室１０の床１４は、床下地に床板１４Ａが敷かれて形成されており、天井１６は、天井下地に天井板１６Ａが張られて形成されている。
【００３９】
図１及び図２に示されるように、寝室１０の壁部１２Ａ及び壁部１２Ｃには、壁部１２Ｂと壁部１２Ｄとの中間位置に小壁１８Ａ、１８Ｂが設けられている。小壁１８Ａは、壁部１２Ａから壁部１２Ｃへ向けて突出されており、小壁１８Ｂは、壁部１２Ｃから壁部１２Ａへ向けて突出されている。寝室１０は、小壁１８Ａ、１８Ｂが境界部分とされて第１寝室部２０Ａと第２寝室部２０Ｂとに区分けされている。
【００４０】
寝室１０の壁部１２Ａには、第１寝室部２０Ａ側及び第２寝室部２０Ｂの各々に窓２２が設けられており、窓２２がブラインド（又はカーテン）２４により遮光される。また、寝室１０の壁部１２Ｃには、第１寝室部２０Ａ側に扉２６Ａが設けられており、第２寝室部２０Ｂ側に扉２６Ｂが設けられている。寝室１０は、扉２６Ａを開くことで第１寝室部２０Ａ側から入室可能とされており、扉２６Ｂを開くことで第２寝室部２０Ｂ側から入室可能とされている。
【００４１】
一方、寝室１０には、寝台としての２台のベッド３０（３０Ａ、３０Ｂ）が設けられており、第１寝室部２０Ａ側のベッド３０Ａ及び第２寝室部２０Ｂ側のベッド３０Ｂは、第２寝室部２０Ｂとの境界部分（小壁１８Ａ、１８Ｂ）を挟んで配置されている。ベッド３０Ａ、３０Ｂは、長さ方向が壁部１２Ｂ、１２Ｄの壁面に沿って配置されており、ヘッドボード３２側が壁部１２Ａ側とされていると共に、ヘッドボード３２とは反対側が扉２６Ａ、２６Ｂの設けられた壁部１２Ｃ側とされている。また、ベッド３０Ａ、３０Ｂは、壁部１２Ａ際に寄せられて配置されている。
【００４２】
これにより、寝室１０には、第１寝室部２０Ａと第２寝室部２０Ｂの各々に一人ずつの二人の居住者が並んで就寝可能となっている。居住者は、ベッド３０Ａ、３０Ｂに就寝する際に、体長方向が壁部１２Ｂ、１２Ｄの壁面に沿う方向とされて、頭側が壁部１２Ａ側とされると共に、足側が壁部１２Ｃ側とされる。本実施の形態では、ベッド３０に就寝する居住者を就寝者としている。
【００４３】
図１及び図２に示されるように、寝室１０には、下がり天井３４及び間接照明手段を構成する下がり天井３６が設けられている。下がり天井３４、３６は、天井板１６Ａが第１寝室部２０Ａ及び第２寝室部２０Ｂの中央部分よりも所定高さ（例えば、約２７５ｍｍ）だけ下げられて形成されており、下がり天井３４は、壁部１２Ｂ、及び壁部１２Ｄに接して形成されている。また、下がり天井３６は、壁部１２Ｂと壁部１２Ｄとの中間部分に設けられており、小壁１８Ａ、１８Ｂを挟んで第１寝室部２０Ａ側が下がり天井３６Ａとされて、第２寝室部２０Ｂ側が下がり天井３６Ｂとされている。
【００４４】
寝室１０には、照明装置としての照明装置４０が設けられている。図３には、照明装置４０の概略構成がブロック図にて示されている。照明装置４０には、照明光源としての複数の照明器具４２、及び制御手段としてのコントローラ４４が設けられている。照明器具４２は、第１寝室部２０Ａ及び第２寝室部２０Ｂの各々に４台ずつ（照明器具４２Ａ、４２Ｂ、４２Ｃ、４２Ｄ）が設けられている。
【００４５】
図１に示されるように、下がり天井３６Ａの上側及び下がり天井３６Ｂの上側の各々には、照明器具４２Ａ〜４２Ｄが配置されており、照明器具４２Ａ〜４２Ｄが下がり天井３６Ａ、３６Ｂの天井板１６Ａにより隠されている。照明器具４２Ａ〜４２Ｄは、光の照射方向が下がり天井３４、３６の間の天井面（天井１６）に向けられている（図２参照）。また、照明器具４２Ａ〜４２Ｄは、壁部１２Ａから壁部１２Ｃの間において、壁部１２Ｂ、１２Ｄの壁面に沿って直線状に配列されており、照明器具４２Ａが壁部１２Ｃ側とされて、照明器具４２Ｄが壁部１２Ａ側とされて順に取り付けられている。
【００４６】
これにより、寝室１０（第１寝室部２０Ａ及び第２寝室部２０Ｂ）には、照明器具４２Ａ〜４２Ｄから発せられる照明光が主に下がり天井３４、３６の間の天井面（天井１６）に照射される間接照明が形成されている。また、第１寝室部２０Ａ及び第２寝室部２０Ｂでは、壁部１２Ｃ側の照明器具４２Ａにより天井面の壁部１２Ｃ側が照明されて、壁部１２Ａ側の照明器具４２Ｄにより天井面の壁部１２Ａ側が照明される。なお、照明装置４０は、第１寝室部２０Ａ側と第２寝室部２０Ｂ側とが同様の構成とされており、以下では、第１寝室部２０Ａ側を例に説明して、第２寝室部２０Ｂ側の説明を省略する。
【００４７】
照明器具４２Ａ〜４２Ｄには、複数の色（発光色）のＬＥＤが設けられていると共に、色ごとに複数のＬＥＤが設けられており、直線状に配列された線状光源とされている。また、照明器具４２Ａ〜４２Ｄは、各ＬＥＤの発光が制御されることで、明るさ及び色温度が変更可能となっている。
【００４８】
本実施の形態では、照明器具４２Ａ〜４２Ｄが第１色温度とされる色温度ＣＴＬ以上、第２色温度とされる色温度ＣＴＨ以下の範囲を含む照明光を発する。色温度ＣＴＬは、日の出前後、日没前後の太陽（朝日又は夕日）から発せられる自然光の色（電球色、略橙色）に相当する２７００ｋ（ケルビン）とされており、色温度ＣＴＨは、日中（昼頃）の自然光（太陽光）の色（昼白色）に相当する５０００ｋとされている。
【００４９】
また、照明器具４２Ａ〜４２Ｄの各々は、定格出力が同様とされており、４台の照明器具４２Ａ〜４２Ｄが定格出力で点灯された場合、第１寝室部２０Ａ及び第２寝室部２０Ｂにおいて、作業面（例えば、ベッド３０Ａの上面の高さにおける水平面）の照度が１０００lx（ルクス）以上とされる。
【００５０】
図３に示される照明装置４０のコントローラ４４は、ＣＰＵ、ＲＯＭ、ＲＡＭ、不揮発性メモリ（例えばＨＤＤ）、及び入出力ポートを有し、これらがバスによって接続された一般的構成のマイクロコンピュータを備えている（図示省略）。照明装置４０では、コントローラ４４のＣＰＵがＲＯＭ及び不揮発性メモリに記憶されたプログラムを読み出して実行することで、照明器具４２Ａ〜４２Ｄの点灯が制御されると共に、点灯された照明器具４２Ａ〜４２Ｄの明るさ（出力）及び色温度が制御される。この際、コントローラ４４は、照明器具４２Ａ〜４２Ｄを定格出力の０％（消灯）〜１００％の範囲（０％以上、１００％以下の範囲）で出力（明るさ）を制御する。また。コントローラ４４は、照明器具４２Ａ〜４２Ｄの各々の発する照明光の色温度を、色温度ＣＴＬ以上、色温度ＣＴＨ以下の範囲で制御する。
【００５１】
一方、照明装置４０には、睡眠状態検出手段としての睡眠センサ４６が設けられており、睡眠センサ４６は、ベッド３０（３０Ａ、３０Ｂの各々）に設けられて、コントローラ４４に接続されている。睡眠センサ４６は、図示しない複数の検出素子を備えており、検出素子がベッド３０に配置されている。検出素子としては、ベッド３０の複数の脚部の各々に取り付けられて、ベッド３０の脚部が就寝者から受ける荷重、圧力及びこれらの変化（体動）を、ベッド３０の就寝者の就寝状態情報として検出する。また、検出素子としては、就寝者が横臥するベッド３０のマットに配置されて、就寝者の体動、就寝者の脈拍、及び就寝者の脳波の少なくとも一つを就寝状態情報として検出する構成であっても良い。
【００５２】
就寝者は、ベッド３０に入床して睡眠し、就寝者が起床する（目覚める）までの睡眠中は、浅い眠りと深い眠りとが繰り返されており、睡眠中に浅い眠りから覚醒（途中覚醒）することがある。睡眠センサ４６は、検出素子により検出される就寝状態情報から、就寝者がベッド３０に入床しているか、就寝者が覚醒している状態（覚醒中）か、就寝している状態（睡眠中）か又は離床したかを判定する。また、睡眠センサ４６は、就寝者が睡眠中である場合、眠りが深いか浅いかを判定すると共に、睡眠途中において就寝者が覚醒（途中覚醒）したか否かの判定も行う。睡眠センサ４６は、判定した就寝者の睡眠状態を示す信号をコントローラ４４に出力する。
【００５３】
このような睡眠センサ４６としては、ベッド３０に入床した就寝者が睡眠中か否か、睡眠が深いか浅いか、及び途中覚醒したか否かなどを検出し得るものであれば任意の構成を適用できる。また、睡眠センサ４６としては、例えば、特開２０１６−５９５９６号公報の睡眠管理装置に用いられている生体情報検出センサ及び生体情報検出センサから取得される生体情報から睡眠状態を判定する制御部を適用できる。
【００５４】
また、ベッド３０（３０Ａ、３０Ｂ）には、ヘッドボード３２の近傍に設定手段としての目覚ましタイマ４８（図３参照）が設けられている。目覚ましタイマ４８には、就寝者により起床時刻としての目覚まし時刻が設定されるようになっており、目覚ましタイマ４８は、就寝者により目覚まし時刻が設定されると、設定された時刻（目覚まし時刻）に目覚まし音を発して就寝者に起床を促す。また、目覚ましタイマ４８は、照明装置４０のコントローラ４４に接続されており、目覚ましタイマ４８は、就寝者により設定された目覚まし時刻（起床時刻）をコントローラ４４に出力する。
【００５５】
コントローラ４４は、睡眠センサ４６により検出される就寝者の睡眠状態に応じて照明器具４２Ａ〜４２Ｄを制御する。この際、コントローラ４４は、就寝者が快適な睡眠が得られるように、照明器具４２Ａ〜４２Ｄの点灯、明るさ（出力）及び色温度を制御する。
【００５６】
また、コントローラ４４は、目覚ましタイマ４８から入力される目覚まし時刻を記憶し、就寝者の起床時において、目覚まし時刻に合わせて照明器具４２Ａ〜４２Ｄを制御する。この際、コントローラ４４は、睡眠センサ４６により検出される睡眠状態から、就寝者が快適な目覚めが得られるように照明器具４２Ａ〜４２Ｄの点灯、明るさ及び色温度を制御する（以下、起床支援照明制御とする）。
【００５７】
ここで、起床支援照明制御においては、就寝者の頭側とは反対側の壁部１２Ｃ側の天井面から徐々に明るくなるように照明器具４２Ａ〜４２Ｄの点灯及び出力が制御される。また、起床支援照明制御においては、照明光の色温度が徐々に高くなるように照明器具４２Ａ〜４２Ｄが制御される。さらに、起床支援照明制御においては、睡眠センサ４６により検出された就寝者の睡眠状態に応じて、照明器具４２Ａ〜４２Ｄの点灯開始タイミング、明るさ（出力）及び色温度が制御される。
【００５８】
以下に本実施の形態の作用として、照明装置４０の動作を説明する。照明装置４０のコントローラ４４は、就寝者の就寝時（就寝前から起床までの間）に、第１寝室部２０Ａ及び第２寝室部２０Ｂの各々に設けられた照明器具４２Ａ〜４２Ｄの点灯、点灯時の明るさ（出力）及び色温度を制御する。なお、以下の説明では、寝室１０の第１寝室部２０Ａを一人用の寝室とみなして、この第１寝室部２０Ａの照明制御を説明する。
【００５９】
就寝者の睡眠には、照明の明るさ及び照明光の色温度が影響し、就寝者が快適な睡眠が得られた感じるためには、就寝者の入眠時及び起床時における照明の明るさ、照明の明るさの変化、照明光の色温度、及び照明光の色温度の変化が影響する。
【００６０】
ここから、コントローラ４４は、就寝者の第１寝室部２０Ａの入室に合わせて、第１寝室部２０Ａの照明器具４２Ａ〜４２Ｄを点灯させる。この際、コントローラ４４は、第１寝室部２０Ａの明るさが５００lx以下となるように照明器具４２Ａ〜４２Ｄの出力を制御すると共に、照明光が色温度ＣＴＬ（ＣＴＬ＝２７００ｋ）となるように照明器具４２Ａ〜４２Ｄが発する照明光の色温度を制御する。なお、照明器具４２Ａ〜４２Ｄの点灯は、第１寝室部２０Ａに入出した就寝者が図示しない照明スイッチをオンすること行われても良く、また、赤外線センサなどの人検出手段を設けて、人検出手段が就寝者の入室を検出することで行われても良い。
【００６１】
色温度ＣＴＬは、日の入り時の自然光（夕日の光）や日の出時の自然光（朝日の光）に近似しており、第１寝室部２０Ａは、明るさが抑えられ、就寝に適した落ち着いた雰囲気とされる。従って、第１寝室部２０Ａは、入室した就寝者の入床（就寝）を促すのに適した雰囲気とされる。
【００６２】
また、コントローラ４４は、睡眠センサ４６により就寝者の入床が検出されると、色温度を変更せずに、第１寝室部２０Ａの明るさが９lx程度の仄暗い明るさになるように照明器具４２Ａ〜４２Ｄの出力を下げる（減光する）。これにより、第１寝室部２０Ａ内は、日没後と同様の薄暗さとなり、就寝者に自然な入眠を促すことができる。さらに、コントローラ４４は、睡眠センサ４６により就寝者が入眠（睡眠）したことを検出されると、照明器具４２Ａ〜４２Ｄの各々を消灯する。これにより、就寝者の睡眠を促進できる。
【００６３】
一方、入眠した就寝者は、睡眠途中で覚醒（中途覚醒）することがある。コントローラ４４は、睡眠センサ４６により就寝者の途中覚醒が検出されると、第１寝室部２０Ａの明るさを９lx程度（色温度ＣＴＬ）とするように照明器具４２Ａ〜４２Ｄを点灯させる。また、コントローラ４４は、睡眠センサ４６により途中覚醒した就寝者の離床が検出されると、色温度を変えずに第１寝室部２０Ａの明るさが１００lxとなるように照明器具４２Ａ〜４２Ｄの明るさを変更する。さらに、コントローラ４４は、睡眠センサ４６により離床していた就寝者の入床が検出されると、色温度を変えずに寝室１０の明るさが９lxとなるように照明器具４２Ａ〜４２Ｄを減光して、就寝者の入眠が検出されると照明器具４２Ａ〜４２Ｄを消灯する。
【００６４】
これにより、就寝者が途中覚醒しても第１寝室部２０Ａが暗闇となっていないので、就寝者は、安心できて再び入眠できる。また、途中覚醒した就寝者が離床するときに周囲が明るすぎると眩しいと感じてしまう（目がくらんでしまう）ことがあるが、就寝者が途中覚醒したときに、第１寝室部２０Ａ内の明るさが第１寝室部２０Ａ内を把握できる明るさであるので、就寝者は、寝室１０内を安心して移動できる。
【００６５】
ところで、就寝者は、深い眠りから浅い睡眠を経て自然に目覚めることで快適な目覚めが得られたと感じ、快適な目覚めが得られたと感じることで、快適な睡眠（十分な睡眠）が得られたと感じる。また、就寝者の目覚めには、目覚めるまでの周囲の明るさ及び光の色温度の変化が影響を及ぼす。ここから、照明装置４０では、起床支援照明制御において、就寝者が自然に目覚めたと感じるように照明器具４２Ａ〜４２Ｄの点灯（点灯タイミング、明るさの変化及び色温度の変化）が制御される。
【００６６】
図４（Ａ）には、起床支援照明制御における時間（時刻）に対する照明器具４２Ａ〜４２Ｄの点灯及び明るさ（出力）の変化が線図にて示されている。図４（Ｂ）には、起床支援照明制御における時間（時刻）に対する照明器具４２Ａ〜４２Ｄの照明光の色温度の変化が線図にて示されている。また、図５には、照明装置４０のコントローラ４４が起床支援照明制御を実行する際の処理（照明制御）がフローチャートにて示されている。なお、図４（Ａ）及び図４（Ｂ）では、照明器具４２Ａ、４２Ｂ、４２Ｃ、４２Ｄが照明器具Ａ、Ｂ、Ｃ、Ｄとして示されている。
【００６７】
図４（Ａ）に示されるように、起床支援照明制御においては、目覚まし時刻ＴＳを基準とされて照明器具４２Ａ〜４２Ｄの各々が目覚まし時刻ＴＳよりも時間ｔ１、ｔ２、ｔ３、ｔ４だけ前に点灯されるように設定される。時間ｔ１〜ｔ４は、ｔ１＞ｔ２＞ｔ３＞ｔ４とされており、本実施の形態では、一例として等間隔とされている。これにより、起床支援照明制御では、目覚まし時刻ＴＳより前に照明器具４２Ａ〜４２Ｄが順に点灯されて、目覚まし時刻ＴＳに達したときに照明器具４２Ａ〜４２Ｄが全点灯状態（出力１００％）とされる。
【００６８】
また、起床支援照明制御においては、照明器具４２Ａ〜４２Ｄの出力（明るさ）が徐々に高くなるように制御される。この際、照明器具４２Ａは、照明器具４２Ｂが点灯されるタイミングで定格出力（出力が１００％）とされ、照明器具４２Ｂは、照明器具４２Ｃが点灯されるタイミングで定格出力とされ、照明器具４２Ｄは、目覚まし時刻ＴＳまでに定格出力とされる。
【００６９】
従って、起床支援照明制御では、目覚まし時刻ＴＳに対して時間ｔ１だけ前の時刻（ＴＳ−ｔ１）となると、壁部１２Ｃ側の照明器具４２Ａが最初に点灯される。また、起床支援照明制御では、目覚まし時刻ＴＳに対して時間ｔ４だけ前の時刻（ＴＳ−ｔ４）となると、壁部１２Ｃとは反対側の壁部１２Ａ側の照明器具４２Ｄが点灯される。なお、起床支援照明制御においては、照明器具４２Ａ（４２Ｂ、４２Ｃ）が定格出力に達するタイミングで、次の照明器具４２Ｂ（４２Ｃ、４２Ｄ）が点灯されるようにしているが、これに限らず、照明器具４２Ｂ（４２Ｃ、４２Ｄ）が点灯されるのに前後して照明器具４２Ａ（４２Ｂ、４２Ｃ）が定格出力に達しても良い。
【００７０】
図４（Ｂ）に示されるように、起床支援照明制御では、照明器具４２Ａ〜４２Ｄの各々の発する照明光の色温度が色温度ＣＴＬ（ＣＴＬ＝２７００ｋ）から色温度ＣＴＨ（ＣＴＨ＝５０００ｋ）へ向けて徐々に高くなるように制御される。この際、照明器具４２Ａは、色温度ＣＴＬから点灯が開始されて、目覚まし時刻ＴＳにおいて色温度ＣＴＨに達するように制御される。また、照明器具４２Ｂは、時刻（ＴＳ−ｔ２）における照明器具４２Ａの色温度ＣＴ１で点灯が開始され、照明器具４２Ｃは、時刻（ＴＳ−ｔ３）における照明器具４２Ａ、４２Ｂの色温度ＣＴ２で点灯が開始される。さらに、照明器具４２Ｄは、時刻（ＴＳ−ｔ４）における照明器具４２Ａ（４２Ａ〜４２Ｃ）の色温度ＣＴ３で点灯が開始される。
【００７１】
一方、照明装置４０においては、起床支援照明制御の実行に先立って起床支援照明制御の実行時間ｔａが設定され、実行時間ｔａから時間ｔ１〜ｔ４が設定される。即ち、実行時間ｔａから時間ｔ１が設定され（ｔａ＝ｔ１）、時間ｔ１から時間ｔ２〜ｔ４が設定されており、実行時間ｔａが異なることで、時間ｔ１〜ｔ４が相対的に変化する。
【００７２】
起床支援照明制御においては、睡眠センサ４６により検出される就寝者の睡眠状態に応じて、照明器具４２Ａ〜４２Ｄの点灯が開始されるタイミング、即ち実行時間ｔａが設定される。起床支援照明制御では、実行時間ｔａとして時間ｔａ１及び時間ｔａ１より短い時間ｔａ２が設けられており、実行時間ｔａは、就寝者の睡眠が深い場合に時間ｔａ１が選択され、就寝者の睡眠が浅い場合（深くない場合）に時間ｔａ２が選択される。本実施の形態では、時間ｔａ１が１０分（ｔａ＝１０ｍｉｎ）とされている。また、時間ｔａ２は、１分〜５分の間で設定することができ、本実施の形態では、時間ｔａ２が５分（ｔａ２＝５ｍｉｎ）とされている。
【００７３】
コントローラ４４は、時間ｔａ１又は時間ｔａ２から起床支援照明制御の実行時間ｔａを設定し（ｔａ＝ｔａ１、又はｔａ＝ｔａ２）、実行時間ｔａから時間ｔ１〜ｔ４を設定する。従って、起床支援照明制御では、実行時間ｔａとして時間ｔａ１が選択されることで、時間ｔａ１の間で実行され（長時間モード）、実行時間ｔａとして時間ｔａ２が選択されることで、時間ｔａ１よりも短い時間ｔａ２の間で実行される（短時間モード）。
【００７４】
起床支援照明制御は、目覚まし時刻ＴＳに達して照明器具４２Ａ〜４２Ｄが全点灯状態となると処理を終了する。また、起床支援照明制御は、実行が開始された後（最初の照明器具４２Ａが点灯された後）に就寝者が目覚めたことが検出されると、所定時間（例えば、１０秒から１分以の予め設定されている時間）以内に、照明器具４２Ａ〜４２Ｄを全点灯状態となるように点灯制御を行った後に処理を終了する。
【００７５】
コントローラ４４は、目覚まし時刻ＴＳが設定されて就寝者が就寝すると図５に示されるフローチャートが実行され、最初のステップ１００において、現在時刻が目覚まし時刻ＴＳよりも時間ｔａ１だけ前の時刻となったか否かを確認する。現在時刻が目覚まし時刻に近づいて目覚まし時刻ＴＳよりも時間ｔａ１だけ前の時刻（ＴＳ−ｔａ１）に達すると、ステップ１００で肯定判定されてステップ１０２へ移行する。このステップ１０２では、睡眠センサ４６により検出される就寝者の睡眠状態を取得し、次のステップ１０４において、睡眠が深いか否かを確認する。
【００７６】
ここで、就寝者の睡眠が深い場合、ステップ１０４において肯定判定されてステップ１０６へ移行する。ステップ１０６では、起床支援照明制御の実行時間ｔａを時間ｔａ１に設定する（ｔａ＝ｔａ１）と共に、実行時間ｔａ（＝ｔａ１）から時間ｔ１、ｔ２、ｔ３、ｔ４を設定して、設定した時間ｔ１〜ｔ４に基づいて起床支援照明制御（長時間モード）を実行する。
【００７７】
これに対して、睡眠が浅い場合（深くなかった場合）、ステップ１０４において否定判定されてステップ１０８へ移行する。このステップ１０８では、現在時刻が目覚まし時刻ＴＳよりも時間ｔａ２（ｔａ２＜ｔａ１）だけ前の時刻（ＴＳ−ｔａ２）となったか否かを確認する。これにより、ステップ１００で肯定判定されてから時間（ｔａ１−ｔａ２）が経過して、ステップ１０８において肯定判定されることでステップ１１０へ移行する。ステップ１１０では、起床支援照明制御の実行時間ｔａを時間ｔａ１よりも短い時間ｔａ２として設定する（ｔａ＝ｔａ２）と共に、実行時間ｔａ（＝ｔａ２）から時間ｔ１、ｔ２、ｔ３、ｔ４を設定して、設定した時間ｔ１〜ｔ４に基づいて起床支援照明制御（短時間モード）を実行する。
【００７８】
照明装置４０は、起床支援照明制御が開始されることで、先ず、就寝者の壁部１２Ｃ側の照明器具４２Ａが色温度ＣＴＬ（２７００ｋ）で点灯されると共に、照明器具４２Ａの出力及び色温度が徐々に高くされる。また、照明装置４０は、照明器具４２Ａが定格出力に達するタイミングで照明器具４２Ｂの点灯が開始される。この際、照明器具４２Ｂは、照明器具４２Ａの色温度に合わせた色温度（色温度ＣＴ１）で点灯されて、出力及び色温度が徐々に上昇される。また、同様にして時間経過に応じて照明器具４２Ｃ、４２Ｄが順に点灯され、照明器具４２Ａ〜４２Ｄは、目覚まし時刻ＴＳに達するまでに定格出力とされていると共に、色温度が色温度ＣＴＨ（５０００ｋ）に達するように制御される。これにより、現在時刻が目覚まし時刻ＴＳとなって、ステップ１１２又はステップ１１４において肯定判定されることで起床支援照明制御が終了する。
【００７９】
ここで、第１寝室部２０Ａは、照明器具４２Ａが点灯されることで、壁部１２Ｃ側の天井面が色温度ＣＴＬで照明されて、天井面の明るさが徐々に明るくされる。また、第１寝室部２０Ａでは、照明器具４２Ａが点灯された後に、照明器具４２Ｂ、４２Ｃ、４２Ｄが順に点灯されて出力が高くされると共に、色温度が高くされる。これにより、第１寝室部２０Ａでは、天井面が壁部１２Ｃ側から壁部１２側へ向けて徐々に明るくされると共に、天井面の色が橙色（電球色）から白色（昼白色）に変化される。
【００８０】
このような第１寝室部２０Ａの明るさ及び色温度の変化は、日の出時における自然光による明るさ及び色温度の変化と同様となる。これにより、就寝者は、目覚める前に足側から日の出時の自然光を受けているのと同様となるので、目覚める際、日の出時の自然光を受けて目覚めたときと同様の快適な目覚め感が得られ、かつ快適に睡眠できたと感じる。
【００８１】
また、就寝者は、第１寝室部２０Ａが明るくなるにつれて睡眠が浅くなって目覚める。この際、就寝者の眠りが深い場合、長時間モードで起床支援照明制御が行われる。これにより、時間をかけて第１寝室部２０Ａが明るくされるので、就寝者は、睡眠が深い状態から時間をかけて浅い状態に移行した後に目覚める。また、就寝者の眠りが浅い場合、短時間モードで起床支援照明制御が行われる。従って、就寝者の睡眠状態に応じて照明器具４２Ａの点灯を開始する時間を変えるので、就寝者は、睡眠状態にかかわらず快適に目覚めることができ、快適な睡眠が得られたと感じる。また、就寝者が目覚まし時刻ＴＳよりも早く目覚めてしまうことにより、就寝者に寝不足感が生じることがあるが、就寝者の睡眠が浅い場合、長時間モードに比べて明るくなるのが遅れるので、目覚まし時刻ＴＳより前に目覚めるのが抑制される。従って、就寝者が目覚まし時刻ＴＳより前に目覚めてしまって寝不足感が生じてしまうのを抑えることができる。
【００８２】
一方、ステップ１０６又はステップ１１０において起床支援照明制御が開始された後、目覚まし時刻ＴＳに達するまで（ステップ１１２又はステップ１１４で否定判定）は、ステップ１１６又はステップ１１８が実行される。ステップ１１６、１１８では、睡眠センサ４６により検出される就寝者の睡眠状態を読み込み、就寝者が目覚めたか否かを確認する（ステップ１２０又はステップ１２２）。
【００８３】
ここで、就寝者が目覚めてステップ１２０又はステップ１２２で肯定判定されると、ステップ１２４へ移行する。このステップ１２４では、予め設定された時間（例えば、１０秒〜３０秒の範囲で設定された時間）以内で、照明器具４２Ａ〜４２Ｄが定格出力及び色温度ＣＴＨとなるように制御する（全点灯制御）。全点灯制御が行われることで、第１寝室部２０Ａが明るくなるので、目覚めた就寝者に光の刺激を与えることができる。これにより、就寝者がうつらうつら（うとうと）してしまうのを抑制して確実に目覚めるようにできるので、目覚めた就寝者に快適な目覚め感及び十分な睡眠感を生じさせることができる。
【００８４】
なお、以上説明した本実施の形態では、照明器具４２Ａ〜４２Ｄを順に点灯させて出力を徐々に高くすると共に、色温度を徐々に高くするようにしたが、照明器具４２Ａ〜４２Ｄの明るさ及び色温度の制御は、これに限るものではない。照明器具４２Ａ〜４２Ｄは、就寝者の足側となる壁部１２Ｃ側から明るくなるように制御されるか、色温度が壁部１２Ｃ側から高くなるように制御されるものであれば良い。
【００８５】
ここで、本実施の形態では、照明器具４２Ａ〜４２Ｄを順に点灯させて各々の出力を徐々に増加させる際、照明器具４２Ａが定格出力となるタイミングで次の照明器具４２Ｂを点灯させるようにしたが、これに限るものではない。例えば、点灯されてから定格出力に達するまでの時間を、先の照明器具４２（例えば、照明器具４２Ａ）よりも次の照明器具４２（例えば、照明器具４２Ｂ）を短くしても良く、また、長くしても良い。
【００８６】
また、本実施の形態では、照明器具４２Ａ〜４２Ｄが順に定格出力となるようにしたが、これに限るものではない。例えば、図６（Ａ）に示されるように、照明器具４２Ａ〜４２Ｄは、各々が同様のタイミング（図６（Ａ）は目覚まし時刻ＴＳ）で定格出力に達するようにされても良い。
【００８７】
また、本実施の形態では、照明器具４２Ａ〜４２Ｄを順に点灯するようにしたが、天井面が壁部１２Ｃ側から徐々に明るくなれば良い。例えば、図６（Ｂ）に示されるように、照明器具４２Ａ〜４２Ｄを同様のタイミングで点灯させた後、照明器具４２Ａ、４２Ｂ、４２Ｃ、４２Ｄの順で定格出力に達するようにしても良い。この場合、壁部１２Ｃ側の照明器具４２Ａの出力が、壁部１２Ａ側の照明器具４２Ｂ〜４２Ｄの出力よりも高くなるので、天井面を壁部１２Ｃ側から明るくすると共に、明るい状態が壁部１２Ｃ側から壁部１２Ａ側へ移動される。
【００８８】
一方、本実施の形態では、色温度が照明器具４２Ａ〜４２Ｄの間で同様に変化するようにしたが（図４（Ｂ）参照）、色温度の変化は、これに限るものではない。色温度は、照明器具４２Ａ〜４２Ｄの間で異なっても良く、この場合、互いに隣接する照明器具４２（例えば、照明器具４２Ａ、４２Ｂ）の間で、壁部１２Ｃ側の照明器具４２の色温度が壁部１２Ａ側の照明器具の色温度よりも高いか同じ状態で上昇すれば良い。即ち、図４（Ａ）、図４（Ｂ）、及び図６（Ｂ）に示される照明器具４２Ａ〜４２Ｄの出力変化などを、照明器具４２Ａ〜４２Ｄの色温度の変化に適用しても良い。これにより、壁部１２Ｃ側と壁部１２Ａ側との間で壁部１２Ｃ側の色温度が高い状態で、色温度を徐々に高くすることができる。
【００８９】
また、照明器具４２Ａ〜４２Ｄの出力の変化は、天井面の明るさが壁部１２Ｃ側から壁部１２Ａ側へ向けて徐々に高くなれば良く、また、照明器具４２Ａ〜４２Ｄの色温度の変化は、一様に変化するか又は壁部１２Ｃ側から徐々に高くなるものであれば良い。従って、照明器具４２Ａ〜４２Ｄにおける出力の変化と色温度の変化とは、異なっても良いが、同様であっても良い。例えば、照明器具４２Ａ〜４２Ｄの各々において、点灯時に色温度ＣＴＬとされると共に、出力が高くなるのに合わせて色温度が高くされて、定格出力となった時に色温度ＣＴＨとなるように制御されても良い。これにより、明るさと共に色温度が就寝者の足側の壁部１２Ｃ側から高くなるので、就寝者は、足側から昇る朝日を受けるように感じながら自然に目覚めることができる。
【００９０】
なお、以上説明した本実施の形態では、照明光源として線状光源とされた照明器具４２Ａ〜４２Ｄを例に説明したが、照明光源はこれに限るものではなく、電球形状などの点状の光源が用いられて良い。
【００９１】
また、本実施の形態では、照明器具４２Ａ〜４２Ｄを順に点灯させるように説明したが、これに限らず、例えば、照明器具４２Ａと照明器具４２Ｂ〜４２Ｄとに分けて、照明器具４２Ａを点灯させた後に、照明器具４２Ｂ〜４２Ｄが同時に点灯されても良い。即ち、本実施の形態では、４台の照明器具４２Ａ〜４２Ｄを直線状に配列したが、照明器具４２は、２台以上が用いられて壁部１２Ｃ側と壁部１２Ａ側とが照明される構成であっても良い。また、就寝者の足側となる照明器具と頭側となる照明器具とは、照明範囲が異なっても良く、この場合、足側の照明器具の照明範囲が頭側の照明器具の照明範囲よりも狭いことがより好ましい。足側の照明器具の照明範囲が頭側の照明器具の照明範囲より広い場合に比べ、より日の出前後の明るさの変化を再現できる。
【００９２】
さらに、本実施の形態では、壁部１２Ｂと壁部１２Ｄとの中間位置に設けた下がり天井３６に照明器具４２Ａ〜４２Ｄを配列したが、照明器具４２Ａ〜４２Ｄは、壁部１２Ｂ、１２Ｄ側の下がり天井３４に配列されても良く、また、下がり天井３４に照明器具４２Ａ、４２Ｃを設け、下がり天井３６に照明器具４２Ｂ、４２Ｄを設けるようにしても良い。
【００９３】
また、壁部１２Ａ、１２Ｃに下がり天井を形成して照明器具４２を配置し、就寝者の起床時には、壁部１２Ｃ側の下がり天井に配置した照明器具４２を先に点灯させて、その後に壁部１２Ａ側の下がり天井に配置した照明器具４２を点灯させるようにしても良い。
【００９４】
さらに、寝室１０のレイアウトが変更される場合、ベッド３０の長さ方向の向きやヘッドボード３２の向きが変わることがある。この場合、起床時における複数の照明器具の点灯順序を設定する手段を設け、就寝者の就寝する際の体長方向や頭の向きに合わせて照明器具の点灯順序が変更可能となるようにしても良い。これにより、ベッド３０の向きや和室などにおける就寝用の寝具の向きに合わせて照明器具の点灯順序（明るさ及び色温度が変化する方向）を適切に設定することができる。
【符号の説明】
【００９５】
１０    寝室（寝室）
１２Ａ〜１２Ｄ    壁部
２０Ａ    第１寝室部（寝室）
２０Ｂ    第２寝室部（寝室）
３０（３０Ａ、３０Ｂ）    ベッド
３６（３６Ａ、３６Ｂ）    下がり天井（間接照明手段）
４０    照明装置
４２Ａ〜４２Ｄ    照明器具（照明光源）
４４    コントローラ（制御手段）
４６    睡眠センサ（睡眠状態検出手段）
４８    目覚ましタイマ（設定手段）
【図１】
2018006086.tif 000003
【図２】
2018006086.tif 000004
【図３】
2018006086.tif 000005
【図４】
2018006086.tif 000006
【図５】
2018006086.tif 000007
【図６】
2018006086.tif 000008